(57)【要約】【課題】本発明は、内部に物品を収納して持ち運ぶときに用いられるバッグにおいて、身体と当接する箇所として三次元の網目構造を有する部材を有していたとしても、たび重なる使用でもその外周部が切断せずに長期間使用することができるバッグを提供することを目的とする。【解決手段】内部に物品を収容する本体部１と、本体部１に付設され、本体部１を使用者の身体に支持する帯部２と、本体部１の一面に設けられ、身体と接触する背当部３とを備え、背当部３が、熱可塑性樹脂からなる三次元網目状ネットで構成されており、背当部３の外周囲部３１が、熱溶融により厚みが圧縮されて、本体部１に縫着されているバッグにより解決することができた。【選択図】図１
2015226573.tif 000002
【特許請求の範囲】
【請求項１】
内部に物品を収容する本体部と、
前記本体部に付設され、前記本体部を使用者の身体に支持する帯部と、
前記本体部の一面に設けられ、身体と接触する背当部とを備え、
前記背当部が、熱可塑性樹脂からなる三次元網目状ネットで構成されており、
前記背当部の外周部が、熱溶融により厚みが圧縮されて、前記本体部に縫着されていることを特徴とするバッグ。
【請求項２】
前記帯部における身体と当接する当接部が、熱可塑性樹脂からなる三次元網目状ネットで構成されており、
前記当接部の外縁部が、熱溶融により厚みが圧縮されて、前記本体部に縫着されていることを特徴とする請求項１に記載のバッグ。
【請求項３】
前記背当部のみが、本体部の一面における仕切り部材であることを特徴とする請求項１又は請求項２に記載のバッグ。
【発明の詳細な説明】
【技術分野】
【０００１】
本発明は、内部に物品を収納して持ち運ぶときに用いられるバッグに関する。
【背景技術】
【０００２】
従来、内部に物品を収納して持ち運び、両肩に掛けて使用するバッグが広くしられている。そして、それらバッグが背中などの身体に当接する箇所において、特に暑い日には身体から気化する汗が滞留して蒸れるため、背中と当接する箇所のほぼ全体をメッシュ状とするバッグも知られている。
【０００３】
例えば、特許文献１には、背負いバッグＢのバッグ本体１における前部１０が立体構造状ネットを備えている態様が開示されている。
【先行技術文献】
【特許文献】
【０００４】
【特許文献１】特開２００４−１４８００６号公報
【発明の概要】
【発明が解決しようとする課題】
【０００５】
しかしながら、特許文献１に開示されている背負いバッグでは、立体構造状ネットである前部１０の外周が特に加工されずにバッグ本体１に取り付けられており、その外周部分において強度が弱いため、立体構造状ネットが使用者の身体と接触したときに、立体構造状ネットにおけるバッグ本体１に取り付けられている箇所が、切断しやすいという問題があった。
【０００６】
そこで、本発明は、内部に物品を収納して持ち運ぶときに用いられるバッグにおいて、身体と当接する箇所として三次元の網目構造を有する部材を有していたとしても、たび重なる使用でもその外周部が切断せずに長期間使用することができるバッグを提供することを目的とする。
【課題を解決するための手段】
【０００７】
〔１〕すなわち、本発明は、内部に物品を収容する本体部と、前記本体部に付設され、前記本体部を使用者の身体に支持する帯部と、前記本体部の一面に設けられ、身体と接触する背当部とを備え、前記背当部が、熱可塑性樹脂からなる三次元網目状ネットで構成されており、前記背当部の外周部が、熱溶融により厚みが圧縮されて、前記本体部に縫着されていることを特徴とするバッグである。
【０００８】
〔２〕そして、前記帯部における身体と当接する当接部が、熱可塑性樹脂からなる三次元網目状ネットで構成されており、前記当接部の外縁部が、熱溶融により厚みが圧縮されて、前記本体部に縫着されていることを特徴とする前記〔１〕に記載のバッグである。
【０００９】
〔３〕そして、前記背当部のみが、本体部の一面における仕切り部材であることを特徴とする前記〔１〕又は前記〔２〕に記載のバッグである。
【発明の効果】
【００１０】
本発明のバッグによれば、内部に物品を収納して持ち運ぶときに用いられるバッグにおいて、身体と当接する箇所として三次元の網目構造を有する部材を有していたとしても、たび重なる使用でもその外周部が切断せずに長期間使用することができる。
【図面の簡単な説明】
【００１１】
【図１】本発明のバッグの斜視図である。
【図２】本発明のバッグにおける背当部及び接続部の部分分解斜視図である。
【図３】本発明のバッグの部分断面図である。
【発明を実施するための形態】
【００１２】
以下、本発明に係るバッグに関する実施形態について図面を参照して詳しく説明する。
【００１３】
図１に示すように、バッグＢは、内部に物品を収容する本体部１と、本体部１に付設され、本体部１を使用者の身体に支持する帯部２・２と、本体部１の一面に設けられ、身体と接触する背当部３とを備えている。
【００１４】
本体部１は、内部に種々の物品を収容する袋状の部材である。図示しない線ファスナーなどの本体部１を開閉する器具が、本体部１に設けられている背当部３の反対側である表面側であって、本体部１の上部（図１における紙面上側）に取り付けられており、種々の物品を出し入れすることができる。また、本体部１の表面側の下側などには、鍵やペンなどの小物を収容することができ、本体部１の表面側の面積の半分以下程度の面積を占める補助的な収容部を１つ又は２以上の複数設けることができる。
【００１５】
本体部１の上部には、帯状であって、両端が本体部１に縫着されており、本体部１との間に隙間を有する把手部１２が設けられている。把手部１２により、机やロッカーなどの設けたれているフックにバッグＧを引っ掛けて保持することができる。
【００１６】
本体部１、把手部１２の素材は、軽量化などの観点からポリエステル、６，６−ナイロン、６−ナイロン、ポリエチレン、ポリプロピレン、レーヨンなどの合成繊維からなることが好ましい。
【００１７】
帯部２は、本体部１に設けられている背当部３側に、両端を本体部１の上部と下部に縫着された帯状の部材である。背当部３と帯部２で形成された空間に使用者の腕などを通して、本体部１を使用者の背中などの身体で支持する。なお、本実施形態において、図１に示すように、帯部２は、本体部１に設けられている背当部３側に２つ有しているが、他の実施形態において、背当部３側に斜めにわたるよう両端を本体部１の上部と下部に縫着された１つ部材して設けられてもよい。
【００１８】
帯部２の素材も、本体部１の素材と同様に軽量化などの観点からポリエステル、６，６−ナイロン、６−ナイロン、ポリエチレン、ポリプロピレン、レーヨンなどの合成繊維からなることが好ましい。
【００１９】
背当部３は、本体部１の一面に設けられて、使用者の背中などの身体と接触する部材である。そして、背当部３は、ポリエステル、６，６−ナイロン、６−ナイロン、ポリエチレン、ポリプロピレンなどの熱可塑性樹脂を素材として、厚みがある三次元網目状ネットとして構成されている。三次元網目状ネットは、図２に示すように、１辺が５〜１３ｍｍ程度である複数の六角形の集合からなるハニカム状の２枚のメッシュを、メッシュと同じ素材で所定の厚みとなる間隔で結合する中間層からなる３層構造としている。
【００２０】
さらには、本体部１に縫着させる背当部３の外周部３１を、熱溶融により他の部分よりも厚みが薄くなるように圧縮されている。使用者の背中などの身体と接触する背当部３において、身体から発せられる汗などの水分により蒸れることを防ぐために通気性を有する三次元網目状ネットとするとともに、通気性を確保するために嵩が高くなったことにより生じる強度の低下を補強するために外周部３１を熱により溶融して厚みを圧縮する。三次元網目状ネットからなる背当部３の外周部３１の厚みを圧縮することにより当該部分の嵩が低くなり、またハニカム状を構成する繊維の幅が太くなり強度が増すため、たび重なる使用によっても縫着している三次元網目状ネットの一部が切断しにくく、また、外周部３１の変形する程度が小さく縫着している糸がほつれることも低減することができる。
【００２１】
背当部３の外周部３１を、熱により溶融する熱溶融の具体的手段としては、背当部３の外周部３１を板部材で押圧して高周波を照射し発生する熱により熱可塑性樹脂を溶融させる高周波溶融、背当部３の外周部３１を板部材で押圧して単に加熱して熱可塑性樹脂を溶融させる加熱溶融などの方法を用いることができる。
【００２２】
背当部３における外周部３１以外の厚みは、５〜１０ｍｍであることが好ましい。背当部３における外周部３１以外の厚みがこの範囲にあると、身体から発せられる汗により蒸れることを防ぐことができる。また、背当板３における外周部３１の厚みは、０．１〜２ｍｍであることが好ましい。背当部３における外周部３１の厚みがこの範囲にあると、たび重なる使用によっても縫着している三次元網目状ネットの一部が切断しにくく、また、接続部４に縫着している糸がほつれることも低減することができる。
【００２３】
図２に示すように、背当部３の外周部３１において、使用者の身体側及び本体部１側を接続部４によって三次元網目状ネットの端面が身体に接触しないように外周部３１の全周に亘って覆うように糸によって縫着されている。
【００２４】
背当部３の網目の形状としては、図１又は図２に示すように、複数の六角形の集合からなるハニカム状であることが好ましいが、通気性を確保する限りにおいて他の多角形の形状とすることができる。
【００２５】
図３に示すように、背当部３は、本体部１の一面における唯一の仕切り部材となっており、本体部１の内部と通気することが可能であり、単に上側に開口がある袋体の一側面にメッシュ状のネットを付設したものに比べて、より効果的に使用者の背中から発せられる汗などの水分により蒸れることを防ぐことができる。また、本体部１に収容した物品を本体部１に設けられた線ファスナーなどの開閉する器具を操作しなくとも、内容物を視認することができる。
【００２６】
また、図３に示すように、帯部２における使用者の身体と接触する当接部２１は、背当部３と同様に、ポリエステル、６，６−ナイロン、６−ナイロン、ポリエチレン、ポリプロピレンなどの熱可塑性樹脂を素材として、厚みがある三次元網目状ネットとして構成され、帯部２に縫着させる当接部２１の外縁部２１１を、熱溶融により他の部分よりも厚みが薄くなるように圧縮されている。使用者の背中だけでなく、腕や肩などの身体と接触する帯部２において、身体から発せられる汗などの水分により蒸れることを防ぐために通気性を有する三次元網目状ネットとするとともに、通気性を確保するために嵩が高くなったことにより生じる強度の低下を補強するために外縁部２１１を熱により溶融して厚みを圧縮する。帯部２における当接部２１の外縁部２１１を、熱により溶融する熱溶融の具体的手段としては、背当部３の外周部３１のときと同様である。
【００２７】
接続部４は、背当部３の外周部３１を本体部１とともに縫着して覆う布状の部材である。図２に示すように、接続部４は、背当部３における外周部３１において使用者の身体側及び本体部１側を覆って外周部３１の端面が身体に接触しないようにし、さらに、背当部３を本体部１に縫着して接続している。
【符号の説明】
【００２８】
１・・・本体部
１２・・把手部
２・・・帯部
２１・・当接部
２１１・外縁部
３・・・背当部
３１・・外周部
４・・・接続部
Ｂ・・・バッグ
【図１】
2015226573.tif 000003
【図２】
2015226573.tif 000004
【図３】
2015226573.tif 000005